(57)【特許請求の範囲】
【請求項１】
個人情報データベース（２１）及び設計案件データベース（２２）並びに進捗状況ベース（２３）とを有し、設計成果物の設計条件及び進捗状況をアクセス権者にＷＥＢページ上で閲覧可能に開示する設計支援サーバー（２）と、前記設計支援サーバー（２）へのアクセス権を有する依頼者が使用する通信端末（３）と、同じく設計支援サーバー（２）へのアクセス権を有する会社が使用する通信端末（４）とを、インターネットのネットワーク（５）を介して接続し、前記設計支援サーバー（２）がＷＥＢページ上で設計成果物の設計条件の指定を行わせ、その設計条件と進捗状況を共有化して閲覧可能とし、依頼者と会社とが情報交換を円滑にする設計支援システム（１）であって、
設計支援サーバー（２）は、依頼者及び会社の通信端末（３）、（４）を利用するユーザーへ、ＷＥＢページ上で利用規約の同意とメールアドレスの入力を促し、前記各ユーザーへそれぞれ異なる本登録用のＵＲＬを指定してアクセスさせることで両者を区別し、アクセス権限の切り分けを行う第一登録手段と、送信したＵＲＬへ前記各ユーザーがアクセスすると、住所や任意のＩＤ、パスワードを含む個人特定情報の入力を促し、入力されるとユーザーＩＤ及びパスワードで成る認証情報を個人情報データベース（２１）へ記録する第二登録手段とでユーザー登録を行う手段と、
設計支援サーバー（２）は、前記個人情報データベース（２１）内の本登録時に入力された住所等の個人特定情報から予め割り付けられたテーブルに基づいて依頼者に対する会社の担当ユーザーを地域別に割り振る手段と、
設計支援サーバーは、依頼者又は会社の通信端末（３）、（４）を利用するユーザーから、前記認証情報を受信すると、前記個人情報データベース（２１）を参照して認証し、認証されたユーザーの通信端末を接続させる手段と、
設計支援サーバー（２）は、メニュー画面の表示により新規案件の設定条件入力の開始を促す、又は現時点での全案件に対する進捗状況の案件履歴の表示を促す手段と、
設計支援サーバー（２）は、依頼者又は依頼者から代理入力を依頼された会社の担当ユーザーへ設計成果物の設計条件の詳細をＷＥＢページ上へ指定すること、及び前記指定した設計条件を設計案件データベース（２２）へ保存することを促し、その進捗状況をＷＥＢページ上に開示する手段と、
設計支援サーバー（２）は、依頼者が設定条件の入力が難しい場合、代理入力を要求する旨を設計支援サーバー（２）へ送信させ、その進捗状況をＷＥＢページ上に開示して、上記本登録時に割り振られた会社の担当ユーザーへ直接代理入力を促す手段と、
設計支援サーバー（２）は、上記全案件の案件履歴表示において、依頼者及び会社の通信端末（３）、（４）から送信される全案件の進捗状況を依頼者側と、会社側とが異なる表示形態として関連付けたテーブルを有する進捗状況ベース（２３）を参照して、依頼者が閲覧する進捗状況と、会社が閲覧する進捗状況とを、責任の所在が明解なそれぞれに異なる表示形態として表示する手段と、
設計支援サーバー（２）は、依頼者又は依頼者から代理入力を上記案件履歴表示上で依頼された会社の担当ユーザーが設計条件の指定を完了すると、その進捗状況をＷＥＢページ上へ開示すると共に、前記会社の担当ユーザに納品先や用紙サイズの指定を含むヘッダーを入力させて設計の依頼書を作成し、その旨を同設計支援サーバー（２）へ送信させ、その進捗状況をＷＥＢページ上へ開示して会社へ設計作成の開始を促す手段と、
設計支援サーバー（２）は、会社が設計依頼を受けて設計を開始すると、その旨を同設計支援サーバー（２）へ送信させ、その進捗状況をＷＥＢページ上に開示し、前記会社が設計を完了したことを同設計支援サーバー（２）へ送信させ、その進捗状況をＷＥＢページ上に開示する手段と、
設計支援サーバー（２）は、会社が依頼者へ設計成果物を依頼者へ納品すると、その旨を同設計支援サーバー（２）へ送信させ、ＷＥＢページ上にその進捗状況を開示する手段と、
から成ることを特徴とする、設計支援システム。
【発明の詳細な説明】
【技術分野】
【０００１】
この発明は、設計成果物の設定条件の指定をＷＥＢページ上で行い、その設計条件と進捗状況を依頼者及び会社とがリアルタイムで閲覧可能とし、相互の応答作業を正確に且つ迅速に行って作業効率を飛躍的に向上させる設計支援システムの技術分野に関する。
【背景技術】
【０００２】
従来から、設計事務所や設計コンサルタント（以下依頼者という）は、都道府県や自治体等の発注主に対してコンサルティングを行う際、会社に設計条件等を指定して設計図面、割付図の作成や塗装面積の算出等の依頼を行い、指定条件に合わせて作成した設計成果物を収めてきた。
【０００３】
しかしながら、多岐にわたる設計条件があることや都道府県それぞれの設計基準の差異、構造物種別によって解釈の異なる部分またはコンサルタントの誤認識等により、設計開始に足るだけの必要な設計条件が揃うまでに多大な時間を要していた。
また、会社内（本店）の設計担当部署と支店（以下、担当ユーザーとも云う）においては、それら設計条件の指定方法等について本店からの電話による質問に対する回答、ならびに設計上不明瞭な点を明確にするための確認等に時間を費やして多大なタイムロスとなり、本来の責務である設計作業に支障をきたすに到っている。これらの問題は要するに、依頼した案件の設計条件及び進捗状況の把握が、依頼者と会社及び会社の担当ユーザーそれぞれに曖昧となっているためである。
【０００４】
特許文献１には、ビル等の設計において、サーバーコンピューターと営業担当者が使用する端末と、ユーザーが使用する端末とをネットワークを介して接続され、ユーザー登録を受けたユーザーがサーバーコンピューターに物件に関する様々な情報を入力すると、サーバーコンピューターは設計に係る種々の決定事項の可否判定を行い、ユーザーはネットワークを介して営業担当者に相談及び情報提供等を依頼可能として迅速な設計を支援している。さらに、サーバーコンピューターはアクセス履歴と回答内容の情報を有しており、他の営業パーソンが回答内容や進捗状況を閲覧可能として効率の良い設計作業をならしめる技術が開示されている。
【０００５】
しかし、この技術はコンピューターが各種設定事項の可否判定を行うものであり、依頼者からの詳細な設定条件をＷＥＢページ上で入力させて、設計依頼をさせる設計支援システムではない。また、アクセス履歴と応答内容を閲覧することはできるが、案件に対する進捗状況がどうなっているかリアルタイムに閲覧するものでなく、やはり情報確認等のための不必要なタイムロスが生じることを防げない。
【特許文献１】特開２００２−２８８２７３号
【発明の開示】
【発明が解決しようとする課題】
【０００６】
本発明の目的は、依頼者がＷＥＢページ上で設定条件の入力を行って会社に設計を依頼する構成とされ、且つ依頼者から指定された設計条件に合わせて作成される設計成果物の設計状況や進捗状況を依頼者及び会社とがリアルタイムで閲覧可能とし、ＷＥＢページ上で相互の応答を正確に且つ迅速に行なって作業効率を飛躍的に向上させる設計支援システムを提供することにある。
【０００７】
本発明の次の目的は、全案件の進捗状況を依頼者側と、会社側とが異なる表示形態として、受け手及び作り手から見て分かり易く表示する設計支援システムを提供することにある。
【課題を解決するための手段】
【０００８】
上述した従来技術の課題を解決するための手段として、請求項１に記載した設計支援システムは、
個人情報データベース（２１）及び設計案件データベース（２２）並びに進捗状況ベース（２３）とを有し、設計成果物の設計条件及び進捗状況をアクセス権者にＷＥＢページ上で閲覧可能に開示する設計支援サーバー（２）と、前記設計支援サーバー（２）へのアクセス権を有する依頼者が使用する通信端末（３）と、同じく設計支援サーバー（２）へのアクセス権を有する会社が使用する通信端末（４）とを、インターネットのネットワーク（５）を介して接続し、前記設計支援サーバー（２）がＷＥＢページ上で設計成果物の設計条件の指定を行わせ、その設計条件と進捗状況を共有化して閲覧可能とし、依頼者と会社とが情報交換を円滑にする設計支援システム（１）であって、
設計支援サーバー（２）は、依頼者及び会社の通信端末（３）、（４）を利用するユーザーへ、ＷＥＢページ上で利用規約の同意とメールアドレスの入力を促し、前記各ユーザーへそれぞれ異なる本登録用のＵＲＬを指定してアクセスさせることで両者を区別し、アクセス権限の切り分けを行う第一登録手段と、送信したＵＲＬへ前記各ユーザーがアクセスすると、住所や任意のＩＤ、パスワードを含む個人特定情報の入力を促し、入力されるとユーザーＩＤ及びパスワードで成る認証情報を個人情報データベース（２１）へ記録する第二登録手段とでユーザー登録を行う手段と、
設計支援サーバー（２）は、前記個人情報データベース（２１）内の本登録時に入力された住所等の個人特定情報から予め割り付けられたテーブルに基づいて依頼者に対する会社の担当ユーザーを地域別に割り振る手段と、
設計支援サーバーは、依頼者又は会社の通信端末（３）、（４）を利用するユーザーから、前記認証情報を受信すると、前記個人情報データベース（２１）を参照して認証し、認証されたユーザーの通信端末を接続させる手段と、
設計支援サーバー（２）は、メニュー画面の表示により新規案件の設定条件入力の開始を促す、又は現時点での全案件に対する進捗状況の案件履歴の表示を促す手段と、
設計支援サーバー（２）は、依頼者又は依頼者から代理入力を依頼された会社の担当ユーザーへ設計成果物の設計条件の詳細をＷＥＢページ上へ指定すること、及び前記指定した設計条件を設計案件データベース（２２）へ保存することを促し、その進捗状況をＷＥＢページ上に開示する手段と、
設計支援サーバー（２）は、依頼者が設定条件の入力が難しい場合、代理入力を要求する旨を設計支援サーバー（２）へ送信させ、その進捗状況をＷＥＢページ上に開示して、上記本登録時に割り振られた会社の担当ユーザーへ直接代理入力を促す手段と、
設計支援サーバー（２）は、上記全案件の案件履歴表示において、依頼者及び会社の通信端末（３）、（４）から送信される全案件の進捗状況を依頼者側と、会社側とが異なる表示形態として関連付けたテーブルを有する進捗状況ベース（２３）を参照して、依頼者が閲覧する進捗状況と、会社が閲覧する進捗状況とを、責任の所在が明解なそれぞれに異なる表示形態として表示する手段と、
設計支援サーバー（２）は、依頼者又は依頼者から代理入力を上記案件履歴表示上で依頼された会社の担当ユーザーが設計条件の指定を完了すると、その進捗状況をＷＥＢページ上へ開示すると共に、前記会社の担当ユーザに納品先や用紙サイズの指定を含むヘッダーを入力させて設計の依頼書を作成し、その旨を同設計支援サーバー（２）へ送信させ、その進捗状況をＷＥＢページ上へ開示して会社へ設計作成の開始を促す手段と、
設計支援サーバー（２）は、会社が設計依頼を受けて設計を開始すると、その旨を同設計支援サーバー（２）へ送信させ、その進捗状況をＷＥＢページ上に開示し、前記会社が設計を完了したことを同設計支援サーバー（２）へ送信させ、その進捗状況をＷＥＢページ上に開示する手段と、
設計支援サーバー（２）は、会社が依頼者へ設計成果物を依頼者へ納品すると、その旨を同設計支援サーバー（２）へ送信させ、ＷＥＢページ上にその進捗状況を開示する手段と、
から成ることを特徴とする。
【発明の効果】
【００１４】
本発明に係る設計支援システムは、以下の効果を奏する。
（１）依頼者からの設計条件をＷＥＢページ上で入力させ、それらの設計条件から設計の依頼書を作成でき、その設計条件や進捗状況をリアルタイムで閲覧できるシステムとしたので、情報の伝達不足等による情報の行き違いや入力不足、過誤等で不必要なタイムロスが生じて案件が滞ることを防止して作業効率を飛躍的に向上できる。また、第三者からの指摘及び修正が可能であるのでより正確な設計条件を会社へ提供することができる。もっては会社が依頼者へ納品する設計成果物を速やかに作成することができる。
更に、依頼済みの案件の設計条件について変更が行われても常に最新の設計条件をＷＥＢページ上に反映し共有できるので、変更に係る処理をスムーズに執り行える。
（２）全案件の進捗状況を一覧履歴として閲覧できるので、全案件の管理が非常に容易となり案件を速やかに処理することができる。
（３）また、全案件の進捗状況は、依頼者側と、会社側とが異なる表示形態としているので、受け手及び作り手から見て分かり易い表示にできる。特に会社側においては、各担当者が今何をすべきかの等の責任の所在を明確にして迅速に対応できるためタイムロスを削減し作業効率を向上できる。
【発明を実施するための最良の形態】
【００１５】
以下に、図面に基づいて本発明の実施の形態を詳細に説明する。図１は本実施例に係る設計支援システム１の概略構成を示す図である。
【００１６】
設計支援システム１は、設計支援サーバー２、依頼者（コンサルタントとも云う）の使用する通信端末３、会社の使用する通信端末４とで構成されている。また、設計支援サーバー２、通信端末３、通信端末４とはインターネット等のネットワーク５を介して相互にアクセス可能に接続されている。
【００１７】
前記設計支援サーバー２は、設計支援システム１に関する各種の処理をするためのものであり、例えばＣＰＵ（Central Processing Unit）や半導体メモリ、磁気ディスク記録装置などから構成されている。
【００１８】
図示することは省略したが前記設計支援サーバー２は、ルータ等で成る通信制御部、処理制御部、データ記憶部とを備えており、前記ＣＰＵによって設計支援プログラム等の動作プログラムを実行する等により実現される。
【００１９】
前記設計支援サーバー２は、複数のデータベース（以下、ＤＢと云う）を有している。例えば個人情報ＤＢ２１、設計案件ＤＢ２２、進捗状況ＤＢ２３等を有している。
【００２０】
前記個人情報ＤＢ２１は、設計支援システム１の利用を許可する登録を行った際に、各ユーザー（使用者）から入力された住所、電話番号、任意のＩＤ、パスワード等の個人情報を記録格納するデータベースである。例えば、ユーザーＩＤごとにレコードが作成され、各レコードに前記個人情報が記憶される。因みに前記ＩＤ及びパスワードは設計支援サーバー１にログオンするためのものである。また、本登録時に入力された住所等の個人特定情報から予め割り付けたテーブルに基づいて依頼者に対する会社の担当ユーザー（支店）が地域別に割り振られメニュー画面上に表示可能に格納されている。
【００２１】
前記設計案件ＤＢ２２とは、依頼者及び会社の担当ユーザー（支店）がＷＥＢページ上で作成した案件の設計条件を随時記録格納するデータベースであり、各案件ごとに案件名と番号が付され各ユーザーが該当する案件の設計条件を取り出し及び上書き保存等を行えるデータ構造である。
【００２２】
前記進捗状況ＤＢ２３は、依頼者及び会社の通信端末（３）、（４）から送信される全案件の進捗状況を依頼者側と、会社側とが異なる表示形態として関連付けたテーブルを有するデータベースである。特に会社側においては各担当ユーザーが今何をすべきか等の責任の所在の明確化を図れるデータである。両者の関連付けは図１１に示した。
【００２３】
上記の構成とされた設計支援サーバー２は、通信端末３及び４からネットワーク５を介してアクセスしてくる各ユーザーへＷＥＢページを提供し、同ページ上で各ユーザーへ設計条件の詳細を入力させ、その設計条件と進捗状況とをリアルタイムで開示すると共に、依頼者が閲覧する進捗状況と、会社が閲覧する進捗状況とを区別して分かり易くし作業効率の向上を図ることに寄与する。
【００２４】
前記通信端末３及び通信端末４は、マウス、キーボート等で成る入力手段とモニター等で成る出力手段を有する汎用のパーソナルコンピュータ等から構成されインターネット等のネットワーク５を利用可能な環境に設定されている。会社の通信端末４は、会社（本店）及びそれぞれの地域に存在する担当ユーザー（支店）とが同じ属性で接続される。
【００２５】
前記通信端末３及び通信端末４を利用する各ユーザーは、同通信端末３、４からネットワーク５を介して設計支援サーバー２に接続し、例えばえん堤ダム等の設計に必要な設計条件をＷＥＢページ上で入力、閲覧、送信等を行う。
以下に本発明の設計支援システム１の設計支援サーバー２により設計を支援する流れを図２に示すフローチャートにより説明する。
【００２６】
前記設計支援サーバー２は、ステップＡで依頼者又は会社の通信端末３、４からアクセスした各ユーザーへ、それぞれ別のＵＲＬを指定して、同各ＵＲＬへアクセスさせることで両者を登録時点で区別しアクセス権限の切り分けを行ない、その上でユーザー登録を行う。
【００２７】
前記ユーザー登録の具体例について図３により詳細に説明する。
前記設計支援サーバー２は、図３のステップＡ１で、前記各ユーザーへ図４に示したＷＥＢページ上に表示したメニュー画面４００によりユーザー未登録者（ＹＥＳ）かユーザー登録者（ＮＯ)かを判別させる。ユーザー未登録者（ＮＯ）の場合には登録ステップを終了し登録されたＩＤとパスワードを入力欄４０１へマウス及びキーボード等の入力手段により入力を促し、図２のステップＢへ進ませる。
【００２８】
ユーザー未登録者（ＹＥＳ）の場合、前記設計支援サーバー２は前記ユーザー未登録者がメニュー画面４００の登録希望ボタン４０２をクリックすると、図５のメールアドレス入力画面５００を表示させる。そして、ステップＡ２で前記ユーザー未登録者が利用規約（図示省略）を同意した上で個々のメールアドレスを入力欄５０１へ入力した後、送信ボタン５０２をクリックして設計支援サーバー２へ送信する。
すると、設計支援サーバー２は、入力されたメールアドレスを個人情報ＤＢ２１へ記録して第一登録を行う。
【００２９】
その後、前記設計支援サーバー２はステップＡ３で、前記アドレスへ図６に示す本登録用のＵＬＲのリンクを張ったリンク画面６００を前記ユーザー未登録者へ自動的に送信する。前記本登録用のＵＲＬは通信端末３からのユーザーと、通信端末４からのユーザーとへ完全に異なるユニークなＵＲＬが配信される。このことにより、同じ設計成果物の設計条件を共有しつつも進捗状況をそれぞれの立場から見た分かり易いものに表示できる。前記メールアドレスの送信により本登録用のＵＲＬを送信するので、メールアドレスの実在確認ができセキュリティーを確保できる。
【００３０】
次に、前記設計支援サーバー２はステップＡ４で、前記ユーザー未登録者（又は第一登録者）が前記ステップＡ２で受信したリンク画面６００に張られたＵＲＬにアクセスすると、図７の本登録画面７００を表示させ、個人情報入力欄７０１…へ個人特定情報をそれぞれ入力手段により入力させる。個人情報入力欄７０１には少なくとも住所、氏名、法人名、任意のＩＤ、及びパスワード、郵便番号、電話番号、FAX番号を入力するものとする。前記ユーザー未登録者は入力が完了したら送信ボタン７０２をクリックして設計支援サーバー２へ送信する。
【００３１】
前記設計支援サーバー２は、送信された前記個人特定情報を受信すると、同個人特定情報をステップＡ５で前記個人情報ＤＢ２１内へ記録格納し、ユーザー登録を完了する。そして、ユーザー登録の完了と登録情報を本登録画面７００上に図７Ｂに示すように表示させる。
前記個人情報ＤＢ２１には、前記入力された住所から予め割り付けたテーブルに基づいて依頼者に対する会社の担当ユーザー（支店）が地域別に割り振られ、メニュー画面８００（図８）に表示可能に記録格納される。上記のようにユーザー情報が管理されているので、依頼者がユーザー登録すると会社のどの担当ユーザー（支店）に担当してもらうかが自動的に決定され、特定された支店（担当ユーザー）にのみ設計条件を入力した案件が依頼されて、誤認や作業の行き違いをなくすことができる。
【００３２】
上記のようにユーザー登録が完了すると、図４に示すメニュー画面４００の入力欄４０１へ登録されたＩＤ及びパスワードを入力して、設計支援サーバー２の設計支援プログラムへログインすると、図８のユーザーメニュー画面８００が表示される。
以下に設計条件を入力する流れを説明する。
【００３３】
前記メニュー画面８００には、新件入力ボタン８０１と履歴表示ボタン８０２が備えられている。これまでの全案件の進捗状況を閲覧したいときには履歴表示ボタン８０２をクリックすると、図１０に示すような案件履歴の一覧が表示された進捗状況表示画面１０００が出力画面上に表示される。ここで上述したように、依頼者が利用する通信端末３から接続した場合に表示される進捗状況と、会社が利用する通信端末４から接続した場合に表示される進捗状況とは異なるものである。図示例では会社の端末４からアクセスされた場合に表示される進捗状況を示した。進捗状況に対する会社への表示と、依頼者への表示とは図１１に示す通りである。
【００３４】
次に、設計支援サーバー２はステップＢにより新しい設計成果物を依頼するための設計条件をＷＥＢページ上へ入力させる。依頼者側のユーザーがＷＥＢページ上の新件入力ボタン８０１をクリックすると図９の新件入力画面９００を表示される。そして、各設定入力欄９０１…に適切な設計条件を入力させ、設定選択欄９０２にはプルダウンメニューから適切な設定条件を選択させて各設計条件の詳細な指定を行わせる。
【００３５】
各設計条件の指定が終了すると、ステップＣに進み、設計条件を入力した設計依頼書を作成し会社へ提出して正式に依頼する。つまり、依頼者側のユーザーが図９の新件入力画面９００の最後尾に設けられている入力完了ボタン９０３をクリックすると、設計支援サーバー２へその進捗状況と設計条件が送信される。すると設計支援サーバー２は送信された進捗状況を進捗状況ＤＢ２３へ、設計条件を設計案件ＤＢ２２へそれぞれ記録格納すると共に、会社側の担当ユーザーには図１０の進捗状況表示画面１０００の状態欄に「ヘッダ入力待ち」と表示し、依頼者側には前記状態欄に「作成待ち」と表示する。そして、図示することは省略したが会社の担当ユーザーが設計成果物の納品先や用紙サイズの指定等のヘッダを入力すると、会社の担当ユーザー側の進捗状況表示画面１０００の状態欄が「作成待ち」と変更されると共に、自動的に設計の依頼書をエクセル等により作成する。斯くすると、依頼者側のユーザーが依頼書を出力し捺印等をして会社へ提出して正式に依頼する運びとなる。因みに、設計条件を全て入力できず次に日等に入力を続けて行いたいときには、一時保存ボタン９０４をクリックする。すると、図１０の進捗状況表示画面１０００の状態欄に「一時保存中」と表示される。後日再入力する際には前記ステップＡ及びＢを行えばよい。
【００３６】
また、依頼者が設計条件入力時に専門的な情報が必要で詳細な設計条件の入力が難しい場合には、図９の新件入力画面９００の代理入力切替えボタン９０５をクリックして代理入力を要求する旨を設計支援サーバー２へ送信する。すると設計支援サーバー２はその旨を進捗状況表示画面１０００の状態欄に「代理入力待ち」と開示し、会社の担当ユーザー（支店）へ代理入力を促すことができる。この際、本登録時に割り振られた依頼者に対する担当ユーザー（支店）の進捗状況表示画面１０００の案件履歴に、前記「代理入力待ち」が表示されることにより依頼される。勿論、設計支援サーバー２は上述した進捗状況を進捗状況ＤＢ２３へ、途中まで設計条件を入力している場合には設計条件を設計案件ＤＢ２２へそれぞれ記録格納する。そして、代理入力する会社の担当ユーザーは上述した代理入力用の新件入力画面９００（図９と略同様）上で各設計条件を入力する。その際前記ヘッダ入力も同時に入力される。
【００３７】
上記のようにして依頼者又は代理入力をした担当ユーザーが会社（本店）へ設計成果物の設計依頼をすると、ステップＤで会社が設計を開始することとなる。次にその点を説明する。
設計支援サーバー２は、前記設計を依頼された会社の担当ユーザー（支店）が通信端末４からアクセスすると、図１０の進捗状況表示画面１０００を表示させ案件履歴を閲覧させる。依頼者から設計依頼が行われていると、「作成待ち」と表示される案件が開示されている。これが依頼者が設計成果物を依頼し作成を待っている案件である。前記会社の担当ユーザーがその案件の詳細ボタン１００１をクリックすると、図１２に示すダイアログボックス１２００が表示される。そして、依頼者から入力された設定条件に基づいた設計成果物の設計の作成を開始するため「作成中」ボタン１２０１をクリックし、設計支援サーバー２へ設計成果物の作成を開始したことを送信する。すると、設計支援サーバー２は前記進捗状況を進捗状況ＤＢ２３へ記録すると共に、図１０の進捗状況表示画面１０００の状態欄を「作成待ち」から「作成中」へ変更させる。依頼者からの設定条件に変更が必要な場合には内容修正ボタン１２０２をクリックし、図９に示すような前記新件入力画面９００上の設定入力欄９０１及び設定選択欄９０２へ適切な条件を指定して修正することができる。
【００３８】
次にステップＥで、会社の設計担当者が設計条件を網羅した設計成果物を作成すると、通信端末４から設計支援サーバー２へアクセスし、図１０の進捗状況表示画面１０００を表示させる。現在「作成中」となっている担当した案件の詳細ボタン１００１をクリックすると、図１３のダイアログボックス１３００が表示される。そして、設計完了ボタン１３０１をクリックして、その案件の作成が完了した旨を送信する。すると、設計支援サーバー２は前記進捗状況を進捗状況ＤＢ２３へ記録格納すると共に、図１０の進捗状況表示画面１０００の状態欄を「作成中」から「作成完了」へと変更させる。また、依頼者側の進捗状況表示画面１０００の状態欄には「作成中」から「納品待ち」に変更される（図１１参照）。
【００３９】
そしてステップＦにおいて、会社は前記設計成果物を依頼者へ納品すると、通信端末４から設計支援サーバー２へアクセスし、図１０の進捗状況表示画面１０００を表示させ、現在「作成完了」となっている担当した案件の詳細ボタン１００１をクリックすると、図１４のダイアログボックス１４００が表示される。そして、納品済みボタン１４０１をクリックして、設計成果物を納品した旨を送信する。すると、設計支援サーバー２は前記進捗状況を進捗状況ＤＢ２３へ記録格納すると共に図１０の進捗状況表示画面１０００の進捗状況を「作成完了」から「納品済み」へと変更する。依頼者側も同じ表示である（図１１参照）。
【００４０】
会社が納品した後に、その案件が消滅又は廃案になった場合には、図示することは省略したがそれらの結果を記録することができる。例えば図１０、図１２〜１４を用いて説明した通り図１０の進捗状況表示画面１０００に「納品済み」と表示された案件の詳細ボタン１００１をクリックして消滅・廃案記録用ダイアログボックスを表示させ、そこから消滅又は廃案かを選択して会社側の記録として進捗状況ＤＢ２３へ保存することができる。この進捗状況は、会社側からは「納付済み」から「消滅」又は「廃案」へ変更されるが、依頼者側には必要ないため「納品済み」の表示に変更はない（図１１参照）。
【００４１】
上記のように依頼者からの設定条件をＷＥＢページ上で作成させ、それぞれの進捗状況をリアルタイムで閲覧可能として、作業の滞りを防止することができる。また会社側と依頼者側との進捗状況の表示を異ならせてそれぞれの立場から分かり易いものとできる。
【００４２】
以上に実施形態を図面に基づいて説明したが、本発明は、図示例の実施形態の限りではなく、その技術的思想を逸脱しない範囲において、当業者が通常に行う設計変更、応用のバリエーションの範囲を含むことを念のために付言する。
【図面の簡単な説明】
【００４３】
【図１】本発明に係る設計支援システムの構成を概略的に示した図である。
【図２】本発明に係る設計支援システムを利用した設計支援の全体的な流れを説明する流れ図である。
【図３】図２のステップＡの具体的な流れを説明する流れ図である。
【図４】認証情報を入力するダイアログボックス（ＷＥＢページ）の一例を示す図である。
【図５】メールアドレスを入力するダイアログボックスの一例を示す図である。
【図６】ＷＥＢページ上にユニークなＵＲＬのリンクを張ったダイアログボックスの一例を示す図である。
【図７】Ａはユーザー未登録者が個人特定情報を入力するダイアログボックスの一例を示す図である。Ｂはユーザー登録の完了と登録情報を表示するダイアログボックスの一例を示す図である。
【図８】新規入力と履歴表示を選択させるダイアログボックスの一例を示す図である。
【図９】設定条件の詳細を指定するダイアログボックスの一例を示す図である。
【図１０】案件履歴の一覧を表示したダイアログボックスの一例を示す図である。
【図１１】依頼者側から見た進捗状況と会社側から見た進捗状況との関連付けを示す参考表である。
【図１２】会社側の担当ユーザーが設計作成を開始する旨を設計支援サーバーへ送信するダイアログボックスの一例を示す図である。
【図１３】会社側の担当ユーザーが設計作成を完了する旨を設計支援サーバーへ送信するダイアログボックスの一例を示す図である。
【図１４】会社側の担当ユーザーが設計成果物を納品済みである旨を設計支援サーバーへ送信するダイアログボックスの一例を示す図である。
【符号の説明】
【００４４】
１            設計支援システム
２            設計支援サーバー
３            依頼者の通信端末
４            会社の通信端末
５            ネットワーク
２１          個人情報ＤＢ
２２          設計案件ＤＢ
２３          進捗状況ＤＢ
【図１】
0004774262.tif 000002
【図２】
0004774262.tif 000003
【図３】
0004774262.tif 000004
【図４】
0004774262.tif 000005
【図５】
0004774262.tif 000006
【図６】
0004774262.tif 000007
【図７】
0004774262.tif 000008
【図８】
0004774262.tif 000009
【図９】
0004774262.tif 000010
【図１０】
0004774262.tif 000011
【図１１】
0004774262.tif 000012
【図１２】
0004774262.tif 000013
【図１３】
0004774262.tif 000014
【図１４】
0004774262.tif 000015